【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
第１位置と第２位置の間の任意の位置に操作可能な操作部を有し、前記操作部の操作位置に応じて連続して変化するレベルを有する音設定信号を出力する音設定信号出力手段と、
前記音設定信号出力手段から出力される音設定信号のレベルと基準値とを比較し、比較結果に応じた音量レベルを示す音量設定信号を出力する音量レベル判定手段と、
前記音設定信号出力手段の操作部が前記第１位置と前記第２位置の間の報知位置に操作されたことを報知する報知手段を備え、
前記音駆動手段は、前記音量レベル判定手段から出力される音量設定信号の音量レベルに応じたレベルの音駆動信号を出力し、
前記報知位置は、前記操作部が当該報知位置に操作された時に前記音設定信号出力手段から出力される音設定信号のレベルが、隣接する基準値の間の値となるように設定されていることを特徴とする遊技機。
【請求項２】
請求項１に記載の遊技機であって、前記報知位置は、前記操作部が当該報知位置に操作された時に前記音設定信号出力手段から出力される音設定信号のレベルが、前記隣接する基準値の間の中間値となるように設定されていることを特徴とする遊技機。
【請求項３】
請求項１または２に記載２の遊技機であって、前記隣接する基準値は、前記音量レベルの中の中間の音量レベルに対応する基準値であることを特徴とする遊技機。
【請求項４】
請求項１〜３のいずれかに記載の遊技機であって、前記音設定信号出力手段は、前記操作部の操作位置に応じて最小抵抗値と最大抵抗値の間で抵抗値が連続して変化する可変抵抗器を有し、前記可変抵抗器の抵抗値に応じて連続して変化するレベルを有する音設定信号を出力することを特徴とする遊技機。
【請求項５】
請求項１〜４のいずれかに記載の遊技機であって、前記音量レベル判定手段は、前記設定信号のレベルが増加する時と減少する時で異なる基準値を用いることを特徴とする遊技機。
【請求項６】
請求項１〜５のいずれかに記載の遊技機であって、
基準値調整手段を備え、
前記基準値調整手段は、前記音設定信号出力手段から出力される音設定信号のレベルに基づいて前記基準値を調整し、
前記音量レベル判定手段は、前記音設定信号出力手段から出力される音設定信号のレベルと前記基準値調整手段によって調整された基準値とを比較し、比較結果に応じた音量レベルを示す音量設定信号を出力することを特徴とする遊技機。
【請求項７】
請求項６に記載の遊技機であって、前記基準値調整手段は、基準値調整条件が満足されたか否かを判別し、基準値調整条件が満足されたことを判別した場合に前記基準値を調整することを特徴とする遊技機。
【請求項８】
請求項７に記載の遊技機であって、前記基準値調整手段は、さらに、前記音設定信号出力手段から出力される音設定信号のレベルが設定範囲内であるか否かを判別し、前記音設定信号のレベルが設定範囲内であることを判別した場合に前記基準値を調整することを特徴とする遊技機。
【手続補正２】
【補正対象書類名】明細書
【補正対象項目名】０００４
【補正方法】変更
【補正の内容】
【０００４】
第１発明は、請求項１に記載された構成を備える遊技機である。
請求項１に記載の遊技機は、
音発生手段と、遊技状態に応じた音制御信号を出力する制御手段と、前記制御手段から出力される音制御信号に基づいて、前記音発生手段を駆動するための音駆動信号を出力する音駆動手段を備える遊技機であって、
第１位置と第２位置の間の任意の位置に操作可能な操作部を有し、前記操作部の操作位置に応じて連続して変化するレベルを有する音設定信号を出力する音設定信号出力手段と、
前記音設定信号出力手段から出力される音設定信号のレベルと基準値とを比較し、比較結果に応じた音量レベルを示す音量設定信号を出力する音量レベル判定手段と、
前記音設定信号出力手段の操作部が前記第１位置と前記第２位置の間の報知位置に操作されたことを報知する報知手段を備え、
前記音駆動手段は、前記音量レベル判定手段から出力される音量設定信号の音量レベルに応じたレベルの音駆動信号を出力し、
前記報知位置は、前記操作部が当該報知位置に操作された時に前記音設定信号出力手段から出力される音設定信号のレベルが、隣接する基準値の間の値となるように設定されていることを特徴とする。
遊技状態（例えば、待機状態、抽選結果変動表示状態、当たり抽選結果表示状態、大当たり遊技状態）に応じた制御信号を出力する制御手段としては、例えば、遊技状態を示す入力信号に基づいて主制御手段から出力される主コマンド信号を入力する副制御回路（副制御手段）あるいは音制御回路（音制御手段）が用いられる。
音設定信号出力手段としては、操作部の操作位置に応じて連続して変化する量を有する音設定信号を出力するものであればよい。典型的には、操作部の操作位置に応じて抵抗値が連続的に変化する可変抵抗器を有し、可変抵抗器の抵抗値に応じて連続して変化する電圧値を有する電圧を出力する音設定信号出力手段が用いられる。
音駆動手段としては、例えば、音制御信号に対応する音駆動信号が記憶されている記憶手段を有する音源ＩＣが用いられる。
報知手段の報知態様としては、周囲が暗くても、操作部が第１位置と第２位置の間の報知位置に操作されたことを認識可能な報知態様、例えば、光、音、操作部のトルクの変化等によって報知する報知態様を用いるのが好ましい。操作部のトルクの変化によって報知する報知手段としては、操作部に節度（クリック）を付与する節度手段（クリック手段）を用いることができる。
音量レベル判定手段の処理は、制御手段が行ってもよい。
「隣接する基準値の間の値」は、製造誤差や取付誤差等によって、同じ操作位置における音設定信号のレベルが変化しても、音設定信号のレベルと基準値との比較結果に基づいて判定される音駆動信号のレベルが変化しない範囲の値を意味する。
請求項１に記載の遊技機を用いれば、請求項１の遊技機と同様に、操作部の操作が容易である。
第２発明は、請求項２に記載された構成を備える遊技機である。
請求項２に記載の遊技機は、請求項１に記載の遊技機であって、前記報知位置は、前記操作部が当該報知位置に操作された時に前記音設定信号出力手段から出力される音設定信号のレベルが、前記隣接する基準値の間の中間値となるように設定されていることを特徴とする。
第３発明は、請求項３に記載された構成を備える遊技機である。
請求項３に記載の遊技機は、請求項１または２に記載２の遊技機であって、前記隣接する基準値は、前記音量レベルの中の中間の音量レベルに対応する基準値であることを特徴とする。
第４発明は、請求項４に記載された構成を備える遊技機である。
請求項４に記載の遊技機は、請求項１〜３のいずれかに記載の遊技機であって、前記音設定信号出力手段は、前記操作部の操作位置に応じて最小抵抗値と最大抵抗値の間で抵抗値が連続して変化する可変抵抗器を有し、前記可変抵抗器の抵抗値に応じて連続して変化するレベルを有する音設定信号を出力することを特徴とする。
可変抵抗器の最小抵抗値や音設定信号の最小レベルは「０」であってもよい。この場合には、音量レベル判定手段は、音設定信号のレベルが「０」の時に最小音量レベルを示す音量設定信号を出力するように構成する。
第５発明は、請求項５に記載された構成を備える遊技機である。
請求項５に記載の遊技機は、請求項１〜４のいずれかに記載の遊技機であって、前記音量レベル判定手段は、前記設定信号のレベルが増加する時と減少する時で異なる基準値を用いることを特徴とする。
「音設定信号のレベルが増加する時と減少する時で異なる基準値を用いる」という記載は、隣接する２つの音量の一方から他方への切り替えを判定する際、音量が低い方から高い方への切り替えを判定する基準値と、音量が高い方から低い方への切り替えを判定する基準値として異なる基準値を用いることを意味する。なお、音量が低い方から高い方への切り替えを判定する基準値は、音量が高い方から低い方への切り替えを判定する基準値より大きい値に設定するのが好ましい。
第６発明は、請求項６に記載された構成を備える遊技機である。
請求項６に記載の遊技機は、請求項１〜５のいずれかに記載の遊技機であって、基準値調整手段を備え、前記基準値調整手段は、前記音設定信号出力手段から出力される音設定信号のレベルに基づいて前記基準値を調整し、前記音量レベル判定手段は、前記音設定信号出力手段から出力される音設定信号のレベルと前記基準値調整手段によって調整された基準値とを比較し、比較結果に応じた音量レベルを示す音量設定信号を出力することを特徴とする。
「音設定信号のレベルに基づいて基準値を調整する」方法としては、報知手段が報知を行った時の音設定信号のレベルと、予め定められている音設定信号のレベルとのずれ量を算出し、算出したずれ量に基づいて基準値を調整する方法を用いることができる。
第７発明は、請求項７に記載された構成を備える遊技機である。
請求項７に記載の遊技機は、請求項６に記載の遊技機であって、前記基準値調整手段は、基準値調整条件が満足されたか否かを判別し、基準値調整条件が満足されたことを判別した場合に前記基準値を調整することを特徴とする。
基準値調整条件としては、電源が投入され、電源電圧が基準値調整手段が作動可能な電圧に達したという条件や、基準値調整用操作部が操作されたという条件等を用いることができる。
第８発明は、請求項８に記載された構成を備える遊技機である。
請求項８に記載の遊技機は、請求項７に記載の遊技機であって、前記基準値調整手段は、さらに、前記音設定信号出力手段から出力される音設定信号のレベルが設定範囲内であるか否かを判別し、前記音設定信号のレベルが設定範囲内であることを判別した場合に前記基準値を調整することを特徴とする。
設定範囲は、製造後差や取付誤差等によるずれ量に基づいて設定される。
【手続補正３】
【補正対象書類名】明細書
【補正対象項目名】０００５
【補正方法】変更
【補正の内容】
【０００５】
請求項１に記載の遊技機を用いれば、設定信号出力手段から出力される設定信号のレベルが、所望の音量レベルに対応する基準値の間の値となるように操作部を操作すればよいため、操作部の操作が容易である。特に、請求項１に記載の遊技機では、第１位置と第２位置の間の任意の位置に操作可能な操作部が、第１位置と第２位置の間の報知位置に操作されたことが報知手段によって報知されるため、操作部の操作者は、第１位置、第２位置及び報知位置に操作されたことを認識することができる。これにより、操作者は、第１位置に対応する音量、第２位置に対応する音量、報知位置に対応する音量、さらには、第1位値に対応する音量と報知位置に対応する音量や報知位置に対応する音量と第２位置に対応する音量の間の音量に調整するための操作部の操作位置を容易に認識することができるため、操作部を所望の操作位置に容易に、短時間で操作することができる。また、基準値を変更するのみで、音量レベルの段数の設定、さらには、音量レベルに対応する操作部の操作範囲の設定を容易に行うことができる。
また、請求項２に記載の遊技機を用いれば、温度や振動等による振動成分、あるいは、製造誤差等によって、報知位置に対応する音量レベルが変化するのを防止することができる。これにより、操作員は、報知位置に対応する音量レベルを正確に判別することができる。
また、請求項３に記載の遊技機を用いれば、報知位置と複数の音量レベルの中の中間の音量レベルとの対応関係を判別することができるため、操作部を所望の操作位置に、より容易に、短時間で操作することができる。
また、請求項４に記載の遊技機を用いれば、操作部の操作位置に対応してレベルが連続して変化する音設定信号を出力する音設定信号出力手段を簡単に構成することができる。
また、請求項５に記載の遊技機を用いれば、音設定信号出力手段の操作部が操作されていないにも拘わらず、温度や振動等による変動成分によって音発生手段から発生する音の音量が切り替わるのを、特に、温度や振動等による変動成分によって音発生手段から発生する音の音量が頻繁に切り替わるのを防止することができ、音による演出効果を高めることができる。
また、請求項６に記載の遊技機を用いれば、製造誤差や取付誤差等によって、報知手段が報知を行った時の音設定信号のレベルが予め定められているレベルと異なっている場合でも、操作部を所望の操作位置に容易に、短時間で操作することができる。
また、請求項７に記載の遊技機を用いれば、基準値の調整が必要な場合に基準値の調整を行うため、処理負担が軽減される。
また、請求項８に記載の遊技機を用いれば、操作部が報知位置に操作されていない状態で基準値が誤調整されるのを防止することができる。